【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
使用者に携帯されて使用者の身体活動を測定する身体活動測定装置であり、
使用者の身体活動を測定するセンサと、
センサによって測定された身体活動から使用者が歩行していると識別される状態が連続するときに、その連続する歩行時間を測定する第１測定手段と、
歩行していると識別される状態が停止してから歩行していると識別される状態が再開されるまでの間欠時間を測定する第２測定手段と、
第２測定手段で測定された間欠時間が所定時間以下のときに、その間欠時間内を使用者が歩行していると見做すことによって連続する一連の連続歩行の歩行時間を、第１測定手段で測定された歩行時間と第２測定手段で測定された間欠時間とを加算することで算出する演算手段と、
演算手段で算出された歩行時間を出力する出力手段と、
を備える身体活動測定装置。
【請求項２】
時刻をカウントする時刻カウント手段と、
時刻カウント手段でカウントされる時刻から、前記の一連の連続歩行が行われた時刻を取得する時刻取得手段をさらに備えており、
前記出力手段は、前記の一連の連続歩行の歩行時間が予め設定された時間を超え、かつ、その一連の連続歩行が行われた時刻が予め設定された時刻に一致するか否かを出力することを特徴とする請求項１に記載の身体活動測定装置。
【請求項３】
日付をカウントする日付カウント手段と、
日付カウント手段でカウントされる日付から、前記の一連の連続歩行が行われた日付を取得する日付取得手段をさらに備えており、
前記出力手段は、前記の一連の連続歩行の歩行時間が予め設定された時間を超え、かつ、取得された日付が予め設定された日付に一致するか否かを出力することを特徴とする請求項１又は２に記載の身体活動測定装置。
【手続補正２】
【補正対象書類名】明細書
【補正対象項目名】０００５
【補正方法】変更
【補正の内容】
【０００５】
上記目的を達成するために、本発明の身体活動測定装置は、使用者に携帯されて使用者の身体活動を測定する。この身体活動測定装置は、使用者の身体活動を測定するセンサと、センサによって測定された身体活動から使用者が歩行していると識別される状態が連続するときに、その連続する歩行時間を測定する第１測定手段と、歩行していると識別される状態が停止してから歩行していると識別される状態が再開されるまでの間欠時間を測定する第２測定手段と、第２測定手段で測定された間欠時間が所定時間以下のときに、その間欠時間内を使用者が歩行していると見做すことによって連続する一連の連続歩行の歩行時間を、第１測定手段で測定された歩行時間と第２測定手段で測定された間欠時間とを加算することで算出する演算手段と、演算手段で算出された歩行時間を出力する出力手段を備えている。
【手続補正３】
【補正対象書類名】明細書
【補正対象項目名】０００６
【補正方法】変更
【補正の内容】
【０００６】
センサとしては、一般に、人体に取り付けた加速度センサーを使用して実現をすることができる。加速度センサーには一般の歩数計に採用されている振り子方式の簡単な構造のものから加速度センサーの出力値をＡ／Ｄ変換するものまで広くある。歩行の判定方法としてはこの加速度センサーの出力の大きさが所定の大きさ以上であると歩行と識別してもよいし、また、あるいは加速度センサーの出力の大きさ及びその出力波形の形状等から歩行を識別してもよい。
【手続補正４】
【補正対象書類名】明細書
【補正対象項目名】０００８
【補正方法】変更
【補正の内容】
【０００８】
この間欠時間が所定の時間以下の場合には、その間欠時間内を使用者が歩行していると見做すことによって連続する一連の連続歩行の歩行時間を、第１測定手段で測定された歩行時間と第２測定手段で測定された間欠時間とを加算する。この処理をすることで、切れ切れになっていた歩行が繋がり一連の連続歩行となる場合がある。このようにして一連の連続歩行を身体活動の中から抽出をすることができる。
【手続補正５】
【補正対象書類名】明細書
【補正対象項目名】００１０
【補正方法】変更
【補正の内容】
【００１０】
この身体活動測定装置は、時刻をカウントする時刻カウント手段と、時刻カウント手段でカウントされる時刻から、前記の一連の連続歩行が行われた時刻を取得する時刻取得手段をさらに備えており、出力手段は、前記の一連の連続歩行の歩行時間が予め設定された時間を超え、かつ、その一連の連続歩行が行われた時刻が予め設定された時刻に一致するか否かを出力することが好ましい。
また、日付をカウントする日付カウント手段と、日付カウント手段でカウントされる日付から、前記の一連の連続歩行が行われた日付を取得する日付取得手段をさらに備えており、出力手段は、前記の一連の連続歩行の歩行時間が予め設定された時間を超え、かつ、取得された日付が予め設定された日付に一致するか否かを出力してもよい。
【手続補正６】
【補正対象書類名】明細書
【補正対象項目名】００１１
【補正方法】変更
【補正の内容】
【００１１】
日常生活の中でこの歩行を習慣化するためにはこのような歩行を計画的におこなうことが大切である。したがって、計画的におこなった歩行かどうかの識別をするのが望ましい。この発明の身体活動測定装置は、請求項２，３に記載した手段により、一連の連続歩行が予め設定された時刻あるいは日付に実行されたものかどうかを判定することができるので、この一連の連続した歩行が計画的におこなったものかどうかの識別をすることができる。
【手続補正７】
【補正対象書類名】明細書
【補正対象項目名】００１２
【補正方法】変更
【補正の内容】
【００１２】
所定の歩行とは使用者が予め計画をしておこなった歩行をいう。歩行の計画とは、その歩行を日常生活の中でどのように定期的に実施をするかを決めることをいう。例えば、早朝に散歩をする。出勤時に歩く。職場からの帰宅時に歩く。昼食後に散歩をする。夕方に犬の散歩をする。休日に散歩をする。休日の午後に散歩をする。これらの歩行には、特定の日付にしか実施をしないものがある。例えば、通勤時に実施する歩行は休日には実施をしない。したがって、休日に、通勤時に実施する歩行に相当する歩行が実施をされていなくとも所定の歩行が実施されなかったことにはならない。
【手続補正８】
【補正対象書類名】明細書
【補正対象項目名】００１３
【補正方法】変更
【補正の内容】
【００１３】
この特定の日にしか実施をしない歩行を適正に評価するには日付を歩行の実施された時刻とともに考慮をする必要がある。また、休日の場合には、例えば、休日中に一回の散歩をするという大雑把な計画をする場合も多い。この場合には、その歩行を実施した時刻までは計画には入っていないので時刻のデータは必要がない。したがって、歩行を使用者が予め計画をした歩行かどうかの判定をするためには、この計画をした時刻あるいは日付の少なくとも一つのデータをこの所定の歩行を実施したか否かの判定用の基準データとして、使用者等が身体活動測定装置のメモリーに設定をしておく。なお、一般的なものは初期値として身体活動測定装置に予めメモリーさせておくことが望ましい。
【手続補正９】
【補正対象書類名】明細書
【補正対象項目名】００１４
【補正方法】変更
【補正の内容】
【００１４】
ここで時刻とは分単位までをいうものではなく、１０分以上の単位で幅をもたせたものをいう。ある程度の幅の時間内に計画をされた歩行を実施できればこの歩行が習慣化すると考えられるからである。ここで日付とは、具体的な年月日を意味するものではなく、平日か休日かの情報をいう。平日とは休日でない日をいう。休日とは、例えば、週休２日制の場合は土曜日と日曜日に国民の休日を加えたものをいう。勤労者の勤務する職場で特別の勤務スケジュールを決めている場合（例えば、工場カレンダー）にはこの休日情報による休日である。また、使用者が個人的に休日としたものもこの休日となる。身体活動測定装置の使用者はこの平日か休日かのデータを年月日の日付と対応させたデータテーブルに予め入れておく。なお、一般的なものをこの初期値としてこのデータテーブルに入れておき、このデータを使用者が自己に合ったものに変更するのが望ましい。日付をこの２種類に分類するのは、休日と平日においてはそれぞれで別個の習慣化した日常行動をとる場合が多いと考えられるからである。日付取得手段としては、具体的な年月日と、この具体的な日が平日か休日かのデータを日付カウント手段により取得する。